(57)【特許請求の範囲】
【請求項１】
ストラップ部材であって、
第一端、第二端、該第一および第二端の間に伸びる内縁、ならびに該第一端において該内縁に沿って形成された第一切欠きを備える第一主ストラップ、ならびに
第一主ストラップの前記第一端に接続された第一端、第二端、該第一および第二端の間に伸びる内縁、ならびに該第一端において該内縁に沿って形成された第二切欠きを備え、第一切欠きおよび第二切欠きがストラップ部材の凹部を画定する、第二主ストラップ
を備え、第一主ストラップおよび第二主ストラップは、ストラップ部材が単独の単一部材となるような単一構造である、該ストラップ部材と、
前記凹部内に配置され、かつ第一主ストラップの前記内縁の一部と共線状であるか正接するかの一方である直線の第一線と、第二主ストラップの前記内縁の一部と共線状であるか正接するかの一方である直線の第二線との交差点にある、交点と、
第一主ストラップに接続された第一端および第二主ストラップに接続された第二端を有する弾性部材と
を含む、ストラップアセンブリ。
【請求項２】
第一および第二主ストラップの第一および第二端が、ストラップアセンブリによって運搬されるバッグに接続されるように構成されている、請求項1記載のストラップアセンブリ。
【請求項３】
弾性部材が交点と重なり合う、請求項1記載のストラップアセンブリ。
【請求項４】
第一主ストラップの第一端および第二主ストラップの第一端に接続されたアンカー部材と、
該アンカー部材に接続された第一アンカーストラップと、
該アンカー部材に接続された第二アンカーストラップと
をさらに含む、請求項１記載のストラップアセンブリ。
【請求項５】
第一および第二アンカーストラップが、アンカー部材に摺動可能に接続された、請求項4記載のストラップアセンブリ。
【請求項６】
アンカー部材が、それを通って伸びる第一スロットとそれを通って伸びる第二スロットとを備え、第一アンカーストラップの一部が該第一スロットを通って伸び、かつ第二アンカーストラップの一部が該第二スロットを通って伸びる、請求項4記載のストラップアセンブリ。
【請求項７】
第一および第二スロットが弓形のスロットである、請求項6記載のストラップアセンブリ。
【請求項８】
第一アンカー部材がDリングであり、第一および第二アンカーストラップが該Dリングに沿って摺動可能に固定された、請求項4記載のストラップアセンブリ。
【請求項９】
第一および第二アンカーストラップが、ストラップアセンブリによって運搬されるバッグに接続されるように構成されている、請求項4記載のストラップアセンブリ。
【請求項１０】
第一および第二アンカーストラップのそれぞれに沿って配置された調節部材をさらに含む、請求項4記載のストラップアセンブリ。
【請求項１１】
第一および第二主ストラップは当て物されている、請求項1記載のストラップアセンブリ。
【請求項１２】
第一および第二主ストラップのそれぞれが流体を充填した内袋を備える、請求項1記載のストラップアセンブリ。
【請求項１３】
弾性部材が弾性ストラップである、請求項1記載のストラップアセンブリ。
【請求項１４】
弾性部材が、第一および第二主ストラップの第一端から、第一および第二主ストラップに沿って、交点よりもさらに外方に配置された、請求項1記載のストラップアセンブリ。
【請求項１５】
第一主ストラップの第二端に接続された第一接続ストラップおよび第二主ストラップの第二端に接続された第二接続ストラップをさらに含む、請求項1記載のストラップアセンブリ。
【請求項１６】
第一および第二接続ストラップのそれぞれに沿って配置された調節部材をさらに含む、請求項15記載のストラップアセンブリ。
【請求項１７】
運搬する1つまたは複数の物を保持するための内部チャンバを画定するバッグコンポーネントと、
ストラップ部材であって、
前記バッグコンポーネントに接続された第一端、前記バッグコンポーネントに接続された第二端、該第一および第二端の間に伸びる内縁、ならびに該第一端において該内縁に沿って形成された第一切欠きを備える第一主ストラップ、ならびに
第一主ストラップの前記第一端および前記バッグコンポーネントに接続された第一端、前記バッグコンポーネントに接続された第二端、該第一および第二端の間に伸びる内縁、ならびに該第一端において該内縁に沿って形成された第二切欠きを備え、第一および第二切欠きが該ストラップ部材の凹部を画定する、第二主ストラップ
を備え、第一主ストラップおよび第二主ストラップは、ストラップ部材が単独の単一部材となるような単一構造である、該ストラップ部材と、
前記凹部内に配置され、かつ第一主ストラップの前記内縁の一部と共線状であるか正接するかの一方である直線の第一線と、第二主ストラップの前記内縁の一部と共線状であるか正接するかの一方である直線の第二線との交差点にある、交点と、
第一主ストラップに接続された第一端および第二主ストラップに接続された第二端を有する弾性部材と
を含む、肩掛けバッグ。
【請求項１８】
第一主ストラップの第一端および第二主ストラップの第一端に接続されたアンカー部材と、
該アンカー部材に摺動可能に接続された第一端およびバッグコンポーネントと係合した第二端を有する第一アンカーストラップと、
該アンカー部材に摺動可能に接続された第一端およびバッグコンポーネントと係合した第二端を有する第二アンカーストラップと
をさらに含む、請求項17記載の肩掛けバッグ。
【請求項１９】
第一主ストラップの第二端に接続された第一接続ストラップおよび第二主ストラップの第二端に接続された第二接続ストラップをさらに含み、第一接続ストラップおよび第二接続ストラップのそれぞれがバッグコンポーネントと係合する、請求項18記載の肩掛けバッグ。
【請求項２０】
第一および第二アンカーストラップならびに第一および第二接続ストラップのそれぞれに沿って配置された調節部材をさらに含む、請求項19記載の肩掛けバッグ。
【請求項２１】
その中に形成された凹部を有する基部と、
該基部からその第一端から第二端まで外方に伸び、その第一端に第一切欠きが形成された第一主ストラップと、
該基部からその第一端から第二端まで外方に伸び、その第一端に第二切欠きが形成された第二主ストラップであって、第一および第二切欠きが該凹部の少なくとも一部を画定し、第一主ストラップおよび第二主ストラップは、単独の単一ストラップ部材を形成するような単一構造である、第二主ストラップと、
第一主ストラップに接続された第一端および第二主ストラップに接続された第二端を有する弾性部材と、
該凹部内に配置され、かつ第一主ストラップの内縁の一部と共線状であるか正接するかの一方である直線の第一線と、第二主ストラップの内縁の一部と共線状であるか正接するかの一方である直線の第二線との交差点にある、交点と、
を含む、ストラップアセンブリ。
【請求項２２】
第一主ストラップの第一端および第二主ストラップの第一端に接続されたアンカー部材と、
該アンカー部材に摺動可能に接続された第一アンカーストラップと、
該アンカー部材に摺動可能に接続された第二アンカーストラップと
をさらに含む、請求項21記載のストラップアセンブリ。
【請求項２３】
第一主ストラップの第二端に接続された第一接続ストラップおよび第二主ストラップの第二端に接続された第二接続ストラップをさらに含む、請求項22記載のストラップアセンブリ。
【請求項２４】
第一および第二アンカーストラップならびに第一および第二接続ストラップのそれぞれに沿って配置された調節部材をさらに含む、請求項23記載のストラップアセンブリ。
【発明の詳細な説明】
【技術分野】
【０００１】
関連出願の相互参照
本願は、2012年5月18日に出願の米国非仮特許出願第13/475,247号の優先権を主張し、その開示は参照により本書に明示的に組み入れられる。
【０００２】
分野
本発明の局面は、概して、バッグまたは他の肩掛け荷物を運搬するためのストラップアセンブリ、特に、1対の主ストラップおよび該主ストラップに接続された弾性部材を有するストラップアセンブリに関する。
【背景技術】
【０００３】
背景
バッグなどの様々な物品は、物品を運搬するのを補助する運搬ストラップを組み込んでいる。ゴルフバッグは、通常、人がゴルフ用具を運搬するのを補助するストラップを1つまたは2つ備えている。ユーザーの肩越しに伸びる2つのストラップを有するゴルフバッグは、バッグに対してのさらなる支持およびユーザーに対しての快適さをもたらす。一般に、バックパックは人の両肩越しに伸びるように構成された1対のストラップを組み込んでいる。他の様式のバッグも人の肩越しに伸びる1対のストラップを備えている場合がある。
【０００４】
1対のストラップを有するストラップアセンブリの設計における考慮点は、快適さおよび調節機能に関連する。ユーザーに対するストラップの快適さを向上させるため、肩などの人と接触する領域において、圧縮可能な材料がストラップにしばしば組み込まれている。ストラップは、ストラップの長さを変えてユーザーに対するストラップの位置を最適化させる調節部材を備えている場合がある。バッグを運搬する際には、バッグの負荷が変位する場合があり、ストラップアセンブリはこのような移動に対応していることが望ましい。さらに、ユーザーの肩越しに伸びるストラップの部分は、時には互いから離れる傾向があり得る一方で、またあるときにはストラップの下端が束になる傾向があり得る。
【０００５】
従来の公知の装置に固有の難点のいくつかまたはすべてを低減するかまたは解決するストラップアセンブリを提供することが望ましい。本発明の特定の利点は、下記の発明の開示および特定の態様の詳細な説明を見れば、当業者すなわち当技術分野において知識または経験を有する者には明らかになるであろう。
【発明の概要】
【０００６】
概要
本発明の原理は、バッグまたは他の肩掛け荷物を運搬するためのストラップアセンブリを提供するために使用され得る。第一の局面によれば、ストラップ部材は、第一主ストラップの内縁に沿って形成された第一切欠きを備える第一主ストラップを備える。第二主ストラップは、第二主ストラップの内縁に沿って形成された第二切欠きを備え、第一切欠きおよび第二切欠きは、ストラップ部材において凹部を画定している。凹部内に配置された交点は、第一および第二主ストラップの内縁の一部に対して共線状であるか正接するかの一方である直線の交差点にある。弾性部材は、第一主ストラップおよび第二主ストラップの間に伸び、任意で凹部および/または切欠きによって画定される領域内に位置していてもよい。
【０００７】
別の局面によれば、バッグ（または他の肩掛け荷物）を運搬するためのストラップアセンブリは、バッグに接続された第一端、バッグに（直接的にまたは間接的に）接続された第二端、第一および第二端の間に伸びる内縁、ならびに第一端において内縁に沿って形成された第一切欠きを備える第一主ストラップを有するストラップ部材を備える。第二主ストラップは、第一主ストラップの第一端およびバッグに（直接的にまたは間接的に）接続された第一端、バッグに接続された第二端、第一および第二端の間に伸びる内縁、ならびに第一端において内縁に沿って形成された第二切欠きを備え、第一切欠きおよび第二切欠きがストラップ部材において凹部を画定する。交点は、凹部内に配置され、第一主ストラップの内縁の一部と共線状であるか正接するかの一方である直線の第一線と第二主ストラップの内縁の一部と共線状であるか正接するかの一方である直線の第二線との交差点にある。弾性部材は、第一主ストラップに接続された第一端および第二主ストラップに接続された第二端を有する。
【０００８】
さらなる局面によれば、ストラップアセンブリは、その中に形成された凹部を有する基部および該基部から外方に伸びる第一主ストラップを備える。第一主ストラップは、第一端および第一端と反対側の第二端を備え、その第一端に第一切欠きが形成されている。第二主ストラップも基部から外方に伸びている。この第二主ストラップは、第一端および第一端と反対側の第二端を備え、その第一端に第二切欠きが形成されている。第一および第二切欠きは、基部における凹部の少なくとも一部を画定している。弾性部材は、第一主ストラップに接続された第一端および第二主ストラップに接続された第二端を有し、任意で凹部を横切って伸びている。交点は、凹部内に配置され、第一主ストラップの内縁の一部と共線状であるか正接するかの一方である第直線と第二主ストラップの内縁の一部と共線状であるか正接するかの一方である第二直線との交差点にある。交点は、凹部内かつ弾性部材上またはその下方に位置していてもよい。
【０００９】
[本発明1001]
ストラップ部材であって、
第一端、第二端、該第一および第二端の間に伸びる内縁、ならびに該第一端において該内縁に沿って形成された第一切欠きを備える第一主ストラップ、ならびに
第一主ストラップの前記第一端に接続された第一端、第二端、該第一および第二端の間に伸びる内縁、ならびに該第一端において該内縁に沿って形成された第二切欠きを備え、第一切欠きおよび第二切欠きがストラップ部材の凹部を画定する、第二主ストラップ
を備える、該ストラップ部材と、
前記凹部内に配置され、かつ第一主ストラップの前記内縁の一部と共線状であるか正接するかの一方である直線の第一線と、第二主ストラップの前記内縁の一部と共線状であるか正接するかの一方である直線の第二線との交差点にある、交点と、
第一主ストラップに接続された第一端および第二主ストラップに接続された第二端を有する弾性部材と
を含む、ストラップアセンブリ。
[本発明1002]
第一および第二主ストラップの第一および第二端が、ストラップアセンブリによって運搬されるバッグに接続されるように構成されている、本発明1001のストラップアセンブリ。
[本発明1003]
弾性部材が交点と重なり合う、本発明1001のストラップアセンブリ。
[本発明1004]
第一主ストラップの第一端および第二主ストラップの第一端に接続されたアンカー部材と、
該アンカー部材に接続された第一アンカーストラップと、
該アンカー部材に接続された第二アンカーストラップと
をさらに含む、本発明1001のストラップアセンブリ。
[本発明1005]
第一および第二アンカーストラップが、アンカー部材に摺動可能に接続された、本発明1004のストラップアセンブリ。
[本発明1006]
アンカー部材が、それを通って伸びる第一スロットとそれを通って伸びる第二スロットとを備え、第一アンカーストラップの一部が該第一スロットを通って伸び、かつ第二アンカーストラップの一部が該第二スロットを通って伸びる、本発明1004のストラップアセンブリ。
[本発明1007]
第一および第二スロットが弓形のスロットである、本発明1006のストラップアセンブリ。
[本発明1008]
第一アンカー部材がDリングであり、第一および第二アンカーストラップが該Dリングに沿って摺動可能に固定された、本発明1004のストラップアセンブリ。
[本発明1009]
第一および第二アンカーストラップが、ストラップアセンブリによって運搬されるバッグに接続されるように構成されている、本発明1004のストラップアセンブリ。
[本発明1010]
第一および第二アンカーストラップのそれぞれに沿って配置された調節部材をさらに含む、本発明1004のストラップアセンブリ。
[本発明1011]
第一および第二主ストラップは当て物されている、本発明1001のストラップアセンブリ。
[本発明1012]
第一および第二主ストラップのそれぞれが流体を充填した内袋を備える、本発明1001のストラップアセンブリ。
[本発明1013]
弾性部材が弾性ストラップである、本発明1001のストラップアセンブリ。
[本発明1014]
弾性部材が、第一および第二主ストラップの第一端から、第一および第二主ストラップに沿って、交点よりもさらに外方に配置された、本発明1001のストラップアセンブリ。
[本発明1015]
第一主ストラップの第二端に接続された第一接続ストラップおよび第二主ストラップの第二端に接続された第二接続ストラップをさらに含む、本発明1001のストラップアセンブリ。
[本発明1016]
第一および第二接続ストラップのそれぞれに沿って配置された調節部材をさらに含む、本発明1015のストラップアセンブリ。
[本発明1017]
運搬する1つまたは複数の物を保持するための内部チャンバを画定するバッグコンポーネントと、
ストラップ部材であって、
前記バッグコンポーネントに接続された第一端、前記バッグコンポーネントに接続された第二端、該第一および第二端の間に伸びる内縁、ならびに該第一端において該内縁に沿って形成された第一切欠きを備える第一主ストラップ、ならびに
第一主ストラップの前記第一端および前記バッグコンポーネントに接続された第一端、前記バッグコンポーネントに接続された第二端、該第一および第二端の間に伸びる内縁、ならびに該第一端において該内縁に沿って形成された第二切欠きを備え、第一および第二切欠きが該ストラップ部材の凹部を画定する、第二主ストラップ
を備える、該ストラップ部材と、
前記凹部内に配置され、かつ第一主ストラップの前記内縁の一部と共線状であるか正接するかの一方である直線の第一線と、第二主ストラップの前記内縁の一部と共線状であるか正接するかの一方である直線の第二線との交差点にある、交点と、
第一主ストラップに接続された第一端および第二主ストラップに接続された第二端を有する弾性部材と
を含む、肩掛けバッグ。
[本発明1018]
第一主ストラップの第一端および第二主ストラップの第一端に接続されたアンカー部材と、
該アンカー部材に摺動可能に接続された第一端およびバッグコンポーネントと係合した第二端を有する第一アンカーストラップと、
該アンカー部材に摺動可能に接続された第一端およびバッグコンポーネントと係合した第二端を有する第二アンカーストラップと
をさらに含む、本発明1017の肩掛けバッグ。
[本発明1019]
第一主ストラップの第二端に接続された第一接続ストラップおよび第二主ストラップの第二端に接続された第二接続ストラップをさらに含み、第一接続ストラップおよび第二接続ストラップのそれぞれがバッグコンポーネントと係合する、本発明1018の肩掛けバッグ。
[本発明1020]
第一および第二アンカーストラップならびに第一および第二接続ストラップのそれぞれに沿って配置された調節部材をさらに含む、本発明1019の肩掛けバッグ。
[本発明1021]
その中に形成された凹部を有する基部と、
該基部からその第一端から第二端まで外方に伸び、その第一端に第一切欠きが形成された第一主ストラップと、
該基部からその第一端から第二端まで外方に伸び、その第一端に第二切欠きが形成された第二主ストラップであって、第一および第二切欠きが該凹部の少なくとも一部を画定する、第二主ストラップと、
第一主ストラップに接続された第一端および第二主ストラップに接続された第二端を有する弾性部材と、
該凹部内に配置され、かつ第一主ストラップの内縁の一部と共線状であるか正接するかの一方である直線の第一線と、第二主ストラップの内縁の一部と共線状であるか正接するかの一方である直線の第二線との交差点にある、交点と、
を含む、ストラップアセンブリ。
[本発明1022]
第一主ストラップの第一端および第二主ストラップの第一端に接続されたアンカー部材と、
該アンカー部材に摺動可能に接続された第一アンカーストラップと、
該アンカー部材に摺動可能に接続された第二アンカーストラップと
をさらに含む、本発明1021のストラップアセンブリ。
[本発明1023]
第一主ストラップの第二端に接続された第一接続ストラップおよび第二主ストラップの第二端に接続された第二接続ストラップをさらに含む、本発明1022のストラップアセンブリ。
[本発明1024]
第一および第二アンカーストラップならびに第一および第二接続ストラップのそれぞれに沿って配置された調節部材をさらに含む、本発明1023のストラップアセンブリ。
特定の態様に従って、第一および第二主ストラップ、主ストラップ間に伸びる弾性部材、凹部、ならびに凹部内の交点を有するストラップアセンブリを提供することにより、主ストラップが束になることが低減でき、ストラップアセンブリによって運搬されるバッグ(または他の肩掛け荷物)のフィット感および支持を改善することができる。ここで開示されるこれらのおよびさらなる特徴ならびに利点は、下記の特定の態様の詳細な開示からさらに理解されるであろう。
【図面の簡単な説明】
【００１０】
【図１】図1は、ユーザーによって運搬されるゴルフバッグに使用されているストラップアセンブリの斜視図である。
【図２】図2は、図1のストラップアセンブリの平面図である。
【図３】図3は、部分的に分解して示した、図2のストラップアセンブリの立面図である。
【図４】図4は、部分的に分解して示した、図2のストラップアセンブリの代替態様の立面図である。
【図５】図5は、部分的に分解して示した、図2のストラップアセンブリの別の代替態様の立面図である。
【図６】図6は、部分的に分解して示した、図2のストラップアセンブリのさらなる代替態様の立面図である。
【図７】図7は、図3の線7-7に沿った、ストラップアセンブリのストラップの断面図である。
【図８】図8は、図2のストラップアセンブリのストラップの代替態様の断面図である。
【００１１】
上で言及した図は必ずしも縮尺どおりに描かれたものではなく、本発明の特定の態様を示したものを提供していると理解すべきであり、単に概念的な性質のものであり関連する原理を図示したものである。図面に描写したストラップアセンブリのいくつかの特徴は、説明および理解を促すために他の特徴に対して拡大されているかまたは変形されている場合がある。様々な代替態様で示される類似のまたは同一のコンポーネントおよび特徴には図面において同じ参照番号が使用されている。本明細書において開示されるストラップアセンブリは、部分的には、ストラップアセンブリが使用されることが意図される用途および環境によって決まる構成およびコンポーネントを有してもよい。
【発明を実施するための形態】
【００１２】
特定の好ましい態様の詳細な説明
下記の開示および添付の図は、バッグまたは他の物品に固定または接続されバッグまたは物品を運搬するのを補助するべく利用され得るストラップアセンブリを記載している。ストラップアセンブリはゴルフバッグと組み合わせて開示されているが、ストラップアセンブリに関する概念は、例えば、バックパック、ブリーフケース、カメラバッグ、ダッフルバッグ、コンピューターバッグ、ハンドバック、メッセンジャーバッグ、およびパースが挙げられる多岐にわたる他の肩掛け荷物と組み合わせて利用されてもよい。バッグに加えて、本発明によるストラップアセンブリに関する概念は、写真用具(すなわちカメラ)、双眼鏡、および各種の運動競技用用具が挙げられる様々な他の物品と組み合わせて利用されてもよい。したがって、関連する技術分野における当業者であれば、本明細書において開示する概念が、様々な物品との使用におよび広範な目的に適したストラップアセンブリ構成に適用されることを認識するであろう。
【００１３】
ゴルフバッグ12と共に使用するためのストラップアセンブリ10の態様を図1〜2に示す。ゴルフバッグ12は、ゴルフクラブ14を運搬するように設計されており、クラブ14を収容するため実質的に中空の通例の構成を有している。ストラップアセンブリ10は、第一主ストラップ16および第二主ストラップ18を備え、そのそれぞれは、人すなわちユーザーの肩越しに伸びるように設計されており、これによりユーザーがゴルフバッグ12およびクラブ14を運搬することが可能になる。
【００１４】
このような構成において、第一主ストラップ16および第二主ストラップ18のそれぞれは、ユーザーの肩および背中と接触する内面(不可視)を有する。第一主ストラップ16は反対側の外面20を有し、第二主ストラップ18は反対側の外面22を有し、これらのそれぞれはユーザーの肩および背中から離れる外方を向いている。
【００１５】
第一主ストラップ16はその内面および外面20の間に伸びる外縁24を有し、反対側のその内面および外面20の間に伸びる内縁26を有する。ゴルフバッグ12を運搬するユーザーによってストラップアセンブリ10が着用されると、外縁24はユーザーの側面(図示した態様ではユーザーの左側)を向く一方で、内縁26はユーザーの首および背中の中央を向く。
【００１６】
同様に、第二主ストラップ18はその内面および外面22の間に伸びる外縁28を有し、反対側のその内面および外面22の間に伸びる内縁30を有する。ゴルフバッグ12を運搬するユーザーによってストラップアセンブリ10が着用されると、外縁28はユーザーの側面(図示した態様ではユーザーの右側)を向く一方で、内縁30はユーザーの首および背中の中央を向く。ストラップアセンブリ10の使用中には、主ストラップ16および18の内縁26および28はそれぞれ、互いに対向する。
【００１７】
第一主ストラップ16は第一端31および第二端32を有し、これらのそれぞれはゴルフバッグ12に(直接的にまたは間接的に)固定または接続される。図示した態様では、第一接続ストラップ34は、縫製または他の適切な手段によって第一主ストラップ16の第二端32に固定された第一端36と、ゴルフバッグ12に固定または接続された第二端38とを有する。第一接続ストラップ34は、ストラップアジャスター、スライド、カムバックル、またはサイドリリースバックルなどの調節部材39を備えていてもよく、第一接続ストラップ34の長さの調節が可能になる。
【００１８】
特定の態様では、第一接続ストラップ34の第二端38は、Dリングまたは任意の他の適切な接続部材などのゴルフバッグ12上の第一接続部材40に直接固定されてもよい。第二端38は、第一接続部材40に着脱可能に固定されてもよいことが理解される。
【００１９】
第二主ストラップ18は、第一主ストラップ16の第一端31に接続された第一端42を有する。図2に見ることができるように、第一主ストラップ16および第二主ストラップ18は共働してストラップ部材43を画定する。ストラップ部材43は、第一および第二主ストラップ16、18の構成に応じて、実質的にV字形または実質的にU字形であってもよいことが理解される。第一主ストラップ16の第一端31および第二主ストラップ18の第一端42は結合してストラップ部材43の基部45を形成し、第一主ストラップ16および第二主ストラップ18の残部は外方に伸びて実質的にV字形またはU字形のストラップ部材43のアームを形成する。
【００２０】
第一主ストラップ16および第二主ストラップ18は、ストラップ部材43を形成するように縫製または他の適切な締結手段によって互いに固定された別々の構成要素であってもよいことが理解される。しかしながら、他の態様では第一主ストラップ16および第二主ストラップ18は、ストラップ部材43が単独の単一部材として製造されるような単一の、すなわち一体型の、構造であってもよい。
【００２１】
第二主ストラップ18の第二端44は、ゴルフバッグ12に固定または接続されている。図示した態様では、第二接続ストラップ46は、縫製または他の適切な手段によって第一主ストラップ16の第二端44に固定された第一端48と、ゴルフバッグ12に固定または接続された第二端50とを有する。第二接続ストラップ46は、ストラップアジャスター、スライド、カムバックル、またはサイドリリースバックルなどの調節部材51を備えていてもよく、第二接続ストラップ46の長さの調節が可能になる。
【００２２】
特定の態様では、第二端50は、Dリングまたは任意の他の適切な接続部材などのゴルフバッグ12上の第二接続部材52に直接固定されてもよい。第二端50は、第二接続部材52に着脱可能に固定されてもよいことが理解される。
【００２３】
第一アンカーストラップ54は、第一主ストラップ16の第一端31におよび/または基部45に固定または接続された第一端56と、第一接続部材40に固定または接続された第二端58とを有する。第二アンカーストラップ60は、第二主ストラップ18の第一端42におよび/または基部45に固定または接続された第一端62と、第二接続部材52に固定または接続された第二端64とを有する。特定の態様では、第一および第二アンカーストラップ54、60は、着脱可能なコネクター65によりそれぞれ第一および第二接続部材40、52に着脱可能に固定される。あるいは、所望であれば、アンカーストラップ54および60は、接続ストラップ34、46を係合させる接続部材40、52とは異なるゴルフバッグ12上の接続部材と係合されてもよい。
【００２４】
特定の態様では、第一アンカーストラップ54の長さは、例えば、ストラップアジャスター、スライド、カムバックル、またはサイドリリースバックルなどの調節部材66を介して調節することができる。同様に、第二アンカーストラップ60の長さは、例えば、ストラップアジャスター、スライド、カムバックル、またはサイドリリースバックルなどの調節部材68を介して調節することができる。本開示の恩恵を考えれば、他の適切な調節部材が当業者には容易に明らかになるであろう。
【００２５】
調節部材39、51、66、および68は、ユーザーがストラップアセンブリ10およびゴルフバッグ12のフィッティングをカスタマイズするのに役立つ。第一および第二接続部材40、52がDリングである場合、第一および第二アンカーストラップ54、60はそれぞれ、第一および第二接続部材40、52のそれぞれに巻かれてもよく、これにより第一および第二アンカーストラップ54、60はゴルフバッグ12に着脱可能に固定される。
【００２６】
特定の態様では、接続ストラップ34、46およびアンカーストラップ54、60は、帯ひも(webbing)で形成することができる。このような帯ひもの適切な材料としては、限定されるものではないが、ポリエステル、ポリプロピレン、およびナイロンが挙げられる。本開示の恩恵を考えれば、他の適切な材料が当業者には容易に明らかになるであろう。
【００２７】
図3においてさらに詳細に見られるように、第一アンカーストラップ54の第一端56および第二アンカーストラップ60の第一端62は、アンカー部材70を介してストラップ部材43に固定されている。図示した態様では、アンカー部材70はDリングであり、アンカーストラップ54、60の第一端56および第一端62それぞれがDリングの周りに巻かれかつDリングに沿って移動可能である。第一および第二アンカーストラップ54、60の第一端56、62それぞれをアンカー部材70に沿って移動できるようにすることで、ユーザーが歩く際にバッグ12の重みが枢動および自己調節でき、これによりユーザーにとっての快適さが向上しストラップアセンブリ10の性能が改善する。さらに、アンカー部材70に沿ったこのような移動によりストラップアセンブリ10に可撓性がもたらされ、これにより、バッグ12を運搬するために使用する際にユーザーがストラップアセンブリ10のフィッティングをさらにカスタマイズすることが可能である。
【００２８】
特定の態様では、第一端56は、Dリング70の周りに巻かれ、第一アンカーストラップ54の残部に縫製によって締結される。同様に、第一端62は、Dリング70の周りに巻かれ、第二アンカーストラップ60の残部に縫製によって締結される。
【００２９】
アンカー部材70の一部は、縫製または他の適切な締結手段でストラップ部材43に固定されたスリーブ72を通して伸びていてもよい。ここに図示したアンカー部材70がDリングである態様などの特定の態様では、アンカー部材70もストラップ部材43に対して自由に動くように、アンカー部材70がスリーブ72内を自由に枢動してもよく、かつスリーブ72がストラップ部材43に対して動いてもよく、ストラップアセンブリ10に対してさらなる可撓性およびカスタマイズ化がもたらされる。
【００３０】
第一切欠き74は、第一主ストラップ16の第一端31で内縁26上に形成されている。第二切欠き76は、第二主ストラップ18の第一端42で内縁30上に形成されている。第一切欠き74および第二切欠き76は結合して、基部45内で凹部78を形成する。凹部78を形成するように第一および第二切欠き74、76を設けることによって、バッグ12を運搬するためにストラップアセンブリ10を使用する際に、ストラップ部材43の第一主ストラップ16および第二主ストラップ18がこれらの第一端31、42それぞれで束になる傾向が軽減される。
【００３１】
弾性部材80は、第一主ストラップ16および第二主ストラップ18の間に伸びている。弾性部材80の第一端82は、縫製または他の適切な締結手段により第一主ストラップ16の第一端31に固定されている。弾性部材80の第二端84は、縫製または他の適切な締結手段により第二主ストラップ18の第一端42に固定されている。
【００３２】
弾性部材80は、引張力が加わった際に伸び、かつ弾性部材80に対する張力が除かれるとその元の形状に戻るのに十分に弾性である材料からできている。弾性部材80は、例えば、弾性ストラップまたは一本の弾性の帯ひもであってもよい。弾性部材80に適切な材料としては、ナイロン、ポリプロピレン、熱可塑性ポリウレタン、およびポリエステルが挙げられる。本開示の恩恵を考えれば、弾性部材80用の他の適切な材料が当業者には容易に明らかになるであろう。
【００３３】
弾性部材は、第一主ストラップ16および第二主ストラップ18を互いに対して偏らせる働きをし、これにより、バッグ12の荷物が変位する際に主ストラップが離間しすぎることがないことを確実にする。
【００３４】
図3において最もはっきりと見られるように、交点86は、ストラップ部材43の第一および第二切欠き74、76ならびに凹部78内に配置される。交点86は、第一主ストラップ16の内縁26の少なくとも一部に沿って伸びる直線の第一線88と第二主ストラップ18の内縁30の少なくとも一部に沿って伸びる直線の第二線90との交差点に位置している。この交点86はまた、凹部78および切欠き74、76の空領域に位置し、かつ主ストラップの内縁26、30の物理的物質が物理的な交差点に位置するものではないので、「仮想」点と考えられてもよい。むしろ、交点86は第一および第二主ストラップ16、18の両方から離間している。
【００３５】
図示した態様では、第一主ストラップ16の内縁26および第二主ストラップ18の内縁30は、第一切欠き74および第二切欠き76それぞれから遠ざかって伸びるこれらの長さの一部に沿う直線である。したがって、この態様で図示するように、第一線88は、第一主ストラップ16の第一端31から離れて第一切欠き74から外方に伸びる内縁26の直線部分と共線状である。同様に、第二線90は、第二主ストラップ18の第一端42から離れて第二切欠き76から外方に伸びる内縁30の直線部分に沿って伸びている。
【００３６】
特定の態様では、内縁26および内縁30のそれぞれはこれらの全長にわたって直線であってもよいが、他の態様では、内縁はこれらの長さのほんの一部の沿ってのみ直線であり、これらの長さの残部は湾曲していてもよく(図2で見られるように)、かつ他の態様では、内縁はこれらの全長にわたって湾曲していてもよいことが理解される。
【００３７】
内縁26および内縁30がこれらの全長にわたって湾曲している特定の態様では、第一線88および第二線90はそれぞれ、内縁26および内縁30の一部に沿って正接して伸びることが理解される。
【００３８】
その結果、直線の第一線88は、内縁26の一部と共線状であるか正接するかの一方であり、直線の第二線90は、内縁30の一部と共線状であるか正接するかの一方である。
【００３９】
図3に図示する態様では、弾性部材80は、第一切欠き74および第二切欠き76の上縁の近傍にかつ交点86の上方に配置されている。他の態様では、図4に図示するように、弾性部材80は、交点86と重なるように配置されていてもよい。弾性部材80は、所望であれば、交点86の下方、ならびに凹部78から離れて第一および第二主ストラップ16、18に沿ったさらに外方、さらには切欠き74、76の上方を含む任意の所望の場所に配置することができることが理解される。
【００４０】
図3に図示する態様に見られるように、第一切欠き74および第二切欠き76は、凹部78が実質的にU字形であるように、湾曲したまたは弓形の表面を有する。他の態様では、図5に図示するように、第一切欠き74は、第一主ストラップ16の中心に向かって内縁26から一定の角度で伸びる第一の平面状または線形の表面92と、第一線形表面92に実質的に直角におよびストラップ部材43の中心に向かって内方に伸びる第二の平面状または線形の表面94とで形成されてもよい。同様に、第二切欠き76は、第二主ストラップ18の中心に向かって内縁30から一定の角度で伸びる第一線形表面96と、第一線形表面96に実質的に直角に伸びかつ第二線形表面94と実質的に共線状に伸びる第二線形表面98とで形成されてもよい。その結果、このような態様では、凹部78は、第一線形表面92、96によって形成された平面状または線形の側壁と、共線状の第二線形表面94、98の組み合わせによって形成される平面状または線形の底部とによって画定される概して方形または矩形の形状を有すると考えられる。
【００４１】
上に記載したように、アンカー部材70がDリングである態様では、第一および第二アンカーストラップ54、60の第一端56、62はそれぞれアンカー部材70に沿って容易に移動することが可能であり、ユーザーが歩く際にバッグ12の重みが枢動および自己調節できる。アンカー部材70は他の形状をとることもできることが理解される。例えば、図6に図示されるように、アンカー部材70は、その中に第一スロット100が形成された板であり、これに沿って第一アンカーストラップ54の第一端56が自由に移動する。板には第二スロット102が形成されており、これに沿って第二アンカー部材60の第一端62が自由に移動する。第一および第二スロット100、102は、ここで図示するように、弓形のスロットでもよいし、または直線の線形形状を有してもよいことが理解される。板には第三スロット104が形成されていてもよく、第三スロット104を通してスリーブ72が伸びており、ストラップ部材43に対してアンカー部材70が自由に枢動することができる。
【００４２】
特定の態様では、第一および第二主ストラップ16、18は当て物されており、かつ第一主ストラップ16に関して図7に図示されるようにカバー106および軟らかい内部コア108を備えてもよい。カバー106は、例えば、ナイロン、ポリエステル、またはポリプロピレンで形成されていてもよい。内部コア108は、ユーザーの肩に緩衝作用を提供する発泡材または他の適切な材料であってもよい。肩ストラップに適した従来の発泡体および他の材料は当技術分野において周知であり、ここで更なる記載は必要ない。
【００４３】
特定の態様では、図8に図示されるように、流体を充填した内袋110が、カバー106内に収容され、かつ/または別の方法で、第一および第二主ストラップ16、18と係合され得ることが理解される。カバー106は、流体を充填した内袋110の一部を第一および第二主ストラップ16、18の外部に露出させる1つまたは複数の窓112を備えていてもよい。流体を充填した内袋110は、空気または任意の他の所望の流体を公知の様式で含んでもよい。
【００４４】
ポリウレタン、ポリエステル、ポリエステルポリウレタン、およびポリエーテルポリウレタンが挙げられる様々な熱可塑性高分子材料を内袋110に利用してもよい。内袋110用の別の適切な材料は、参照により本明細書に組み入れられるMitchellらの米国特許第5,713,141号および第5,952,065号に開示のような、熱可塑性ポリウレタンとエチレンビニルアルコール共重合体との交互層から形成されたフィルムである。中心層がエチレンビニルアルコール共重合体で形成され、中心層に隣接する2つの層が熱可塑性ポリウレタンで形成され、外層が熱可塑性ポリウレタンおよびエチレンビニルアルコール共重合体のリグラインド材で形成される、この材料の変形例を利用してもよい。内袋110はまた、いずれも参照により本明細書に組み入れられるBonkらの米国特許第6,082,025号および第6,127,026号に開示のような、ガスバリア材料とエラストマー材料との交互層を備えた可撓性のミクロレイヤー膜から形成されてもよい。さらに、多数の熱可塑性ウレタン、例えば、Dow Chemical Companyの製品であるPELLETHANE、BASF Corporationの製品であるELASTOLLAN、およびB.F. Goodrich Companyの製品であるESTANEなどを利用してもよく、これらはすべてエステル系またはエーテル系のいずれかのものである。ポリエステル、ポリエーテル、ポリカプロラクトン、およびポリカーボネートマクロゲルに基づく他の熱可塑性ウレタンを採用してもよいし、様々な窒素遮断材料を利用してもよい。さらなる適切な材料は、参照により本明細書に組み入れられるRudyの米国特許第4,183,156号および第4,219,945号に開示されている。さらに適切な材料としては、参照により本明細書に組み入れられるRudyの米国特許第4,936,029号および第5,042,176号に開示されるような結晶質材料を含む熱可塑性フィルム、ならびに、同様に参照により本明細書に組み入れられるBonkらの米国特許第6,013,340号、第6,203,868号、および第6,321,465号に開示されるようなポリエステルポリオールを含むポリウレタンが挙げられる。
【００４５】
このように、様々な態様の根本的に新規な特徴を示し、記載し、かつ指摘してきたが、図示した装置の形状および詳細において、ならびにその作用において、様々な省略、置き換え、および変更が、本発明の精神および範囲から逸脱することなく当業者によって為され得ることが理解されるであろう。例えば、同じ成果を達成するために実質的に同じ機能を、実質的に同じ方法で、実施する構成要素および/または工程のすべての組み合わせは、本発明の範囲内であることが明示的に意図される。記載された態様から別の態様に構成要素を置き換えることも十分に意図されかつ企図されている。したがって、本明細書に添付の請求項の範囲によって示されるようにのみ限定されることが意図される。
【図１】
0006047230.tif 000002
【図２】
0006047230.tif 000003
【図３】
0006047230.tif 000004
【図４】
0006047230.tif 000005
【図５】
0006047230.tif 000006
【図６】
0006047230.tif 000007
【図７】
0006047230.tif 000008
【図８】
0006047230.tif 000009